【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
駆動軸を有する圧縮機構と、環状のシール用凹部が設けられる第１ハウジングと、前記シール用凹部と対面可能な対向面を有し、前記第１ハウジングとともに前記圧縮機構を収容する第２ハウジングと、前記第１ハウジングと前記第２ハウジングとを軸方向で締結するボルトと、前記シール用凹部内に収納されて前記対向面に当接し、前記第１ハウジングと前記第２ハウジングとを封止するシール部材とを備えた圧縮機において、
前記第１ハウジング及び前記第２ハウジングの一方には、前記シール用凹部より大気側に位置し、前記軸方向に延びる筒状をなす被嵌合面が形成され、
前記第１ハウジング及び前記第２ハウジングの他方には、前記軸方向に延びる筒状をなし、前記第１ハウジングと前記第２ハウジングとを前記ボルトによって締結することによって前記被嵌合面に締まり嵌めされる嵌合面が形成されていることを特徴とする圧縮機。
【請求項２】
前記シール用凹部は径方向外側に向かって開口し、
前記対向面は前記軸方向に筒状に延在し、
前記第１ハウジングに前記被嵌合面が形成され、
前記第２ハウジングに前記嵌合面が形成されている請求項１記載の圧縮機。
【請求項３】
前記シール用凹部は前記軸方向の一方側に向かって開口し、
前記対向面は前記軸方向と直交する平面状をなし、
前記第１ハウジングに前記嵌合面が形成され、
前記第２ハウジングに前記被嵌合面が形成されている請求項１記載の圧縮機。
【請求項４】
前記シール用凹部は前記軸方向の一方側及び外周側に向かって開口し、
前記対向面は前記軸方向と斜めに交差する平面状をなし、
前記第１ハウジング及び前記第２ハウジングの一方に前記嵌合面が形成され、
前記第１ハウジング及び前記第２ハウジングの他方に前記被嵌合面が形成されている請求項１記載の圧縮機。
【請求項５】
前記圧縮機構は、シリンダ室と、前記シリンダ室内に前記駆動軸によって回転可能に設けられ、複数個のベーン溝が形成されたロータと、各前記ベーン溝に出没可能に設けられ、前記シリンダ室の内周面及び前記ロータの外面とともに圧縮室を形成するベーンとを有する請求項１乃至４のいずれか１項記載の圧縮機。
【請求項６】
吸入室と前記シリンダ室の一端面とを形成するとともに、前記駆動軸の一端を軸支するフロントハウジングと、前記シリンダ室の他端面を形成するとともに、前記駆動軸の他端を軸支するサイドプレートと、前記サイドプレートとともに内部に吐出室を形成するシェルとを備え、
前記フロントハウジングは、前記シリンダ室の内周面を形成するシリンダ形成部を有し、
前記シェルは、前記シリンダ形成部を収容し、
前記シリンダ室は、前記フロントハウジング、前記サイドプレート及び前記シリンダ形成部によって形成され、
前記第１ハウジング及び前記第２ハウジングの一方が前記フロントハウジングであり、
前記第１ハウジング及び前記第２ハウジングの他方が前記シェルである請求項５記載の圧縮機。
【手続補正２】
【補正対象書類名】明細書
【補正対象項目名】０００８
【補正方法】変更
【補正の内容】
【０００８】
本発明の圧縮機は、駆動軸を有する圧縮機構と、環状のシール用凹部が設けられる第１ハウジングと、前記シール用凹部と対面可能な対向面を有し、前記第１ハウジングとともに前記圧縮機構を収容する第２ハウジングと、前記第１ハウジングと前記第２ハウジングとを軸方向で締結するボルトと、前記シール用凹部内に収納されて前記対向面に当接し、前記第１ハウジングと前記第２ハウジングとを封止するシール部材とを備えた圧縮機において、
前記第１ハウジング及び前記第２ハウジングの一方には、前記シール用凹部より大気側に位置し、前記軸方向に延びる筒状をなす被嵌合面が形成され、
前記第１ハウジング及び前記第２ハウジングの他方には、前記軸方向に延びる筒状をなし、前記第１ハウジングと前記第２ハウジングとを前記ボルトによって締結することによって前記被嵌合面に締まり嵌めされる嵌合面が形成されていることを特徴とする。
【手続補正３】
【補正対象書類名】明細書
【補正対象項目名】００２４
【補正方法】変更
【補正の内容】
【００２４】
駆動軸９は、滑り軸受１４ａ、１４ｃ及び軸封装置１４ｂによって軸支されている。サイドプレート５がシリンダ室１３の後端面１３ｃを形成している。シリンダ室１３の後端面１３ｃは、本発明の他端面に相当する。ロータ２２は、シリンダ室１３内において、駆動軸９が圧入されている。ロータ２２には複数のベーン溝２２ａが凹設され、各ベーン溝２２ａにベーン２４が出没可能に設けられている。
【手続補正４】
【補正対象書類名】明細書
【補正対象項目名】００２６
【補正方法】変更
【補正の内容】
【００２６】
また、シェル３の周壁１９の軸方向端部には、図２に示すように、周壁１９の内周面の一部をなし、軸方向に延びる円筒状をなす嵌合面１９ｂが形成されている。嵌合面１９ｂは対向面１９ａより前方に位置している。被嵌合面１１ｂは、嵌合面１９ｂに対し、締まり嵌めの一種として圧入される大きさに設定されている。なお、この圧縮機では、周壁１９の前端面１９ｅとフロントハウジング１の区画壁１２の後端面１２ｅとが当接してもよく、離間していてもよい。
【手続補正５】
【補正対象書類名】明細書
【補正対象項目名】００３１
【補正方法】変更
【補正の内容】
【００３１】
この圧縮機では、フロントハウジング１がシリンダ形成部１１を有するとともに、シリンダ室１３の一端面を形成していることから、部品点数が削減されている。そして、この圧縮機では、ボルト７がフロントハウジング１とシェル３とを軸方向で締結した状態において、図２に示すように、Ｏリング２０がシール溝１１ａ内に収納されてシェル３における周壁１９の対向面１９ａに当接している。特に、Ｏリング２０は、対向面１９ａとシール溝１１ａの底面との間で、軸方向と直交する径方向で圧縮されている。このため、Ｏリング２０は、フロントハウジング１とシェル３との間を封止することから、圧縮機内部の気密性を確保し、潤滑油や冷媒の漏れを防止している。
【手続補正６】
【補正対象書類名】明細書
【補正対象項目名】００３５
【補正方法】変更
【補正の内容】
【００３５】
また、この圧縮機では、フロントハウジング１の区画壁２５に被嵌合面２５ｂが形成され、シェル３の周壁２３に嵌合面２３ｂが形成されている。嵌合面２３ｂは、被嵌合面２５ｂに対し、締まり嵌めの一種として圧入される大きさに設定されている。なお、この圧縮機では、周壁２３の前端面２３ｃとフロントハウジング１の区画壁２５の後端面２５ｃとが当接してもよく、離間していてもよい。嵌合面２３ｂより大気側には貯留空間１８が形成されており、周壁２３の前端面２３ｃとフロントハウジング１の区画壁２５の後端面２５ｃとの間を介して水等が浸入した場合でも、貯留空間１８が水等を貯留可能となっている。他の構成は実施例１の圧縮機と同様である。
【手続補正７】
【補正対象書類名】明細書
【補正対象項目名】００４１
【補正方法】変更
【補正の内容】
【００４１】
また、リヤシリンダブロック３７の後端面に環状のシール溝３７ｂが形成されている。リヤハウジング３９は、シール溝３７ｂと対面可能な対向面３９ａを有している。シール溝３７ｂ内にはＯリング４５が収納されている。Ｏリング４５は対向面３９ａに当接している。シール溝３７ｂ及びＯリング４５に関して言えば、リヤシリンダブロック３７が本発明の第１ハウジングに相当し、リヤハウジング３９が本発明の第２ハウジングに相当する。
【手続補正８】
【補正対象書類名】明細書
【補正対象項目名】００４８
【補正方法】変更
【補正の内容】
【００４８】
さらに、この圧縮機では、固定スクロール５１に被嵌合面５１ｄが形成され、フロントハウジング４９に嵌合面４９ｂが形成されている。また、リヤハウジング５３に被嵌合面５３ｂが形成され、固定スクロール５１に嵌合面５１ｃが形成されている。
【手続補正９】
【補正対象書類名】明細書
【補正対象項目名】００５２
【補正方法】変更
【補正の内容】
【００５２】
また、この圧縮機では、シェル２７に被嵌合面２７ａが形成され、ハウジング３１に嵌合面３１ｃが形成されている。被嵌合面２７ａは、嵌合面３１ａに対し、締まり嵌めの一種として圧入される大きさに設定されている。他の構成は実施例１、２の圧縮機と同様である。
【手続補正１０】
【補正対象書類名】明細書
【補正対象項目名】００５４
【補正方法】変更
【補正の内容】
【００５４】
（実施例６）
実施例６の圧縮機では、図６と同様に、断面が三角形状のシール用凹部２８ａに軸方向と斜めに交差する平面状をなして対向面３１ａが対面しているが、嵌合面及び被嵌合面の位置が異なっている。この圧縮機では、図７に示すように、ハウジング３１に被嵌合面３１ｂが形成され、シェル２７に嵌合面２７ｂが形成されている。被嵌合面３１ｂは、嵌合面２７ｂに対し、締まり嵌めの一種として圧入される大きさに設定されている。他の構成は実施例１〜３の圧縮機と同様である。
【手続補正１１】
【補正対象書類名】図面
【補正対象項目名】図１
【補正方法】変更
【補正の内容】
【図１】
2018105227.tif 000001
【手続補正１２】
【補正対象書類名】図面
【補正対象項目名】図２
【補正方法】変更
【補正の内容】
【図２】
2018105227.tif 000002
【手続補正１３】
【補正対象書類名】図面
【補正対象項目名】図５
【補正方法】変更
【補正の内容】
【図５】
2018105227.tif 000003
【手続補正１４】
【補正対象書類名】図面
【補正対象項目名】図６
【補正方法】変更
【補正の内容】
【図６】
2018105227.tif 000004